(57)【要約】【課題】本発明は、検知対象となる湯水の流量が少ない場合の誤検知を抑制することができる水量センサを提供する。【解決手段】本発明の一態様に係る水量センサ装置は、水量検知部と、軸受部と、整流部材とを備える。水量検知部は、回転軸と、水車とを有する。水車は、回転軸に対して傾斜しながら回転軸に沿って延在する複数の羽根を含む。水車は、回転軸を中心として回転する。軸受部は、水量検知部よりも湯水の流れにおける上流側に配置される。軸受部は、回転軸を支持する。軸受部は、複数の第１リブを有する。第１リブは、回転軸に交差する方向に延在する。整流部材は、軸受部よりも湯水の流れにおける上流側に配置される。整流部材は、湯水を整流する。整流部材は、複数の第２リブを有する。第２リブは回転軸に交差する方向に延在する。第２リブの各々は、回転軸に平行な方向からみて、互いに隣接する第１リブの間に配置される。【選択図】図１
2018072009.tif 000002
【特許請求の範囲】
【請求項１】
回転軸と、前記回転軸を中心に回転し、前記回転軸に対して傾斜しながら前記回転軸に沿って延在する複数の羽根を含む水車とを有する水量検知部と、
前記水量検知部より湯水の流れにおける上流側に配置され、前記回転軸を支持し、かつ前記回転軸に交差する方向に延在する複数の第１リブを有する軸受部と、
前記軸受部より前記湯水の流れにおける上流側に配置され、前記回転軸に交差する方向に延在する複数の第２リブを有し、かつ前記湯水を整流する整流部材とを備え、
前記第２リブの各々は、前記回転軸に平行な方向からみて、互いに隣接する前記第１リブの間に配置される、水量センサ装置。
【請求項２】
前記第１リブと前記第２リブとは、前記回転軸に平行な方向からみて、３６０°を前記第１リブの数で除した角度の０．４倍以上０．６倍以下の角度をなす、請求項１に記載の水量センサ装置。
【請求項３】
前記整流部材は、入水フィルタ部を有する、請求項１又は２に記載の水量センサ装置。
【請求項４】
請求項１〜３のいずれか１項に記載の前記水量センサ装置と、
入水ポートと、前記入水ポートに連通する第１の出水ポートと、前記入水ポートに連通し、かつ前記水量センサ装置が接続される第２の出水ポートとを有し、前記入水ポートから前記第１の出水ポート及び前記第２の出水ポートに流れる湯水の流量を調整する流量調整部とを備える、温水装置。
【請求項５】
前記水量センサ装置に接続される注湯電磁弁と、
前記入水ポートに接続される第１の配管と、前記第１の出水ポートに接続される第２の配管とを有する給湯流路と、
前記注湯電磁弁に接続される第３の配管を有する注湯流路とをさらに備える、請求項４に記載の温水装置。
【請求項６】
前記水量センサ装置は、前記注湯電磁弁と一体に形成されている、請求項５に記載の温水装置。
【発明の詳細な説明】
【技術分野】
【０００１】
本発明は、水量センサ装置及び温水装置に関する。
【背景技術】
【０００２】
従来から、特公平７−３７９０６号公報（特許文献１）に記載の水量センサが知られている。特許文献１に記載の水量センサは、本体ケーシングと、水量検知部と、整流部と、センサ部とを有している。
【０００３】
本体ケーシングは、水量検知部、整流部及びセンサ部を収納し、かつ略円筒形状を有する。水量検知部は、回転用軸受と、回転軸と羽根部とを含む羽根車とを有している。回転用軸受は、斜流羽根を含んでいる。整流部は、水量検知部の上流側に配置される。整流部は、平板羽根を有し、流入する水の流れを整える。センサ部は、羽根車の回転を検知するセンサを含んでいる。
【先行技術文献】
【特許文献】
【０００４】
【特許文献１】特公平７−３７９０６号公報
【発明の概要】
【発明が解決しようとする課題】
【０００５】
しかしながら、特許文献１に記載の水量センサにおいては、斜流羽根及び平板羽根の相対的な位置関係について、特段の配慮がなされていない。そのため、特許文献１に記載の水量センサにおいては、検知対象となる水の流量が少なくても羽根車が回転し、水量が検知される場合がある。その結果、特許文献１に記載の水量センサにおいては、誤検知が生じるおそれがある。
【０００６】
本発明は、上記のような従来技術の問題点に鑑みてなされたものである。より具体的には、本発明は、検知対象となる湯水の流量が少ない場合の誤検知を抑制することができる水量センサ及び温水装置を提供するものである。
【課題を解決するための手段】
【０００７】
本発明の一態様に係る水量センサ装置は、水量検知部と、軸受部と、整流部材とを備える。水量検知部は、回転軸と、水車とを有する。水車は、複数の羽根を含む。羽根は、回転軸に対して傾斜しながら回転軸に沿って延在する。水車は、回転軸を中心として回転する。軸受部は、水量検知部よりも湯水の流れにおける上流側に配置される。軸受部は、回転軸を支持する。軸受部は、複数の第１リブを有する。第１リブは、回転軸に交差する方向に延在する。整流部材は、軸受部よりも湯水の流れにおける上流側に配置される。整流部材は、湯水を整流する。整流部材は、複数の第２リブを有する。第２リブは回転軸に交差する方向に延在する。第２リブの各々は、回転軸に平行な方向からみて、互いに隣接する第１リブの間に配置される。
【０００８】
本発明の一態様に係る水量センサにおいては、第２リブの各々が、隣接する第１リブの間に配置されている。そのため、第２リブの間を通過した湯水の流速は、第１リブとの接触により、減衰する。すなわち、水量検知部に到達した湯水が水車を回転させる力は、第１リブにより弱められる。そのため、検知対象となる湯水の流量が少ない場合には、水車が回転しがたい。したがって、本発明の一態様に係る水量センサ装置によると、検知対象となる湯水の流量が少ない場合の誤検知を抑制することができる。
【０００９】
上記の水量センサ装置においては、第１リブと第２リブとは、回転軸に平行な方向からみて、３６０°を第１リブの数で除した角度の０．４倍以上０．６倍以下の角度をなしていてもよい。この場合、第２リブの間を通過した湯水が第１リブと接触することにより、水量検知部に到達した湯水の方向が、羽根が傾斜する方向に向かって傾けられ、羽根が傾斜する方向と平行に近くなる。その結果、水量検知部に到達した湯水が水車を回転させる力は、さらに弱められる。したがって、この場合には、検知対象となる湯水の流量が少ない場合の誤検知をさらに抑制することができる。
【００１０】
本発明の一態様に係る温水装置は、上記の水量センサ装置と、流量調整部とを備える。流量調整部は、入水ポートと、第１の出水ポートと、第２の出水ポートとを有する。第１の出水ポートは、入水ポートに連通する。第２の出水ポートは、入水ポートに連通し、かつ水量センサ装置が接続される。流量調整部は、入水ポートから第１の出水ポート及び第２の出水ポートに流れる湯水の流量を調整する。
【００１１】
上記の温水装置は、注湯電磁弁をさらに備えていてもよい。注湯電磁弁は、水量センサ装置に接続される。上記の温水装置においては、入水ポートに接続される第１の配管と、第１の出水ポートに接続される第２の配管とを有する給湯流路及び注湯電磁弁に接続される第３の配管を有する注湯経路をさらに備えていてもよい。水量センサ装置は、注湯電磁弁と一体に形成されていてもよい。
【００１２】
上記の温水装置においては、第１の出力ポート側に湯水が流れている場合であっても、若干量の湯水が第２の出水ポート側にも流れる場合がある。流量調整部や水量センサの寸法を縮小した場合は、上記の水量センサ装置と流量調整部との距離が縮まり、上記の水量センサ装置に到達する湯水の流速が高くなる。その結果、第２の出水ポート側に流れる湯水による影響が無視できなくなる。上記の温水装置は、上記の水量センサ装置を備えるため、若干量の湯水が第２の出力ポート側に流れたとしても、誤検知が生じがたい。そのため、本発明の一態様に係る温水装置によると、検知対象となる湯水の流量が少ない場合の誤検知を抑制することができる。
【発明の効果】
【００１３】
本発明の一態様に係る水量センサ装置及び温水装置によると、検知対象となる湯水の流量が少ない場合の誤検知を抑制することができる。
【図面の簡単な説明】
【００１４】
【図１】実施形態に係る水量センサ装置の断面図である。
【図２】実施形態に係る水量センサ装置の分解斜視図である。
【図３】実施形態に係る水量センサ装置における軸受部及び整流部材の上面図である。
【図４】実施形態に係る温水装置の模式図である。
【図５】実施形態に係る温水装置の流量調整部及び注湯電磁弁の近傍における断面図である。
【図６】比較例に係る水量センサ装置の断面図である。
【図７】実施形態に係る水量センサ装置における湯水の流れを示す模式図である。
【図８】比較例に係る温水装置の模式図である。
【発明を実施するための形態】
【００１５】
（実施形態に係る水量センサ装置の構成）
以下に、実施形態に係る水量センサ装置の構成について、図１〜図３を参照して説明する。なお、各図中同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１６】
図１及び図２に示すように、実施形態に係る水量センサ装置は、水量検知部１と、軸受部２と、整流部材３とを有している。水量検知部１、軸受部２及び整流部材３は、ハウジング４に収納されている。ハウジング４は、好ましくは、両端が開口している円筒形状を有している。
【００１７】
水量検知部１は、水量センサ装置内を流れる湯水の水量を検知する部分である。水量検知部１は、回転軸１１と、水車１２とを有している。
【００１８】
水車１２は、水車本体１２ａと、羽根１２ｂとを有している。水車本体１２ａは、中空の筒状となっている。例えば、水車本体１２ａは、円筒形状である。水車本体１２ａは、内周面と外周面とを有している。内周面は、水車本体１２ａの内周側の面である。外周面は、水車本体１２ａの外周側の面である。内周面側には、回転軸１１が挿入されている。これにより、水車１２が回転軸１１を中心として回転可能に取り付けられている。
【００１９】
羽根１２ｂは、外周面上に形成されている。羽根１２ｂは、回転軸１１に対して傾斜するように形成されている。より具体的には、羽根１２ｂは、外周面上において、水車本体１２ａの長手方向に沿って（すなわち、回転軸１１に沿って）、水車本体１２ａの長手方向に対して傾きながら（すなわち、回転軸１１に対して傾きながら）延在している。
【００２０】
羽根１２ｂの一部には、磁石等の磁性体（図示せず）が設けられている。また、水量検知部１は、磁界検知部（図示せず）を有している。磁界検知部は、例えばホール素子である。羽根１２ｂが回転するに伴い、羽根１２ｂ周囲の磁界が変化する。この磁界の変化は、磁界検知部で検知される。これにより、水量検知部１は、水量センサ内を流れる湯水の水量を検知する。
【００２１】
軸受部２は、第１の軸受部２１と、第２の軸受部２２とから構成されている。軸受部２は、回転軸１１を回転可能に支持する部分である。第１の軸受部２１は、検知対象となる湯水の流れの方向において、水量検知部１よりも上流側に配置されている。第１の軸受部２１は、中央部２１ａと、枠部２１ｂと、第１リブ２１ｃとを有している。
【００２２】
中央部２１ａには、凹部２１ａａが設けられている。回転軸１１の一端は、凹部２１ａａに挿入される。これにより、回転軸１１は、第１の軸受部２１に回転可能に支持されている。枠部２１ｂは、中央部２１ａの周囲に、間隔をおいて配置されている。平面視において（回転軸１１に平行な方向からみて）、枠部２１ｂは、環状の形状を有している。
【００２３】
第１リブ２１ｃは、中央部２１ａと枠部２１ｂとを連結している。第１リブ２１ｃは、回転軸１１に交差する方向に延在している。好ましくは、第１リブ２１ｃは、回転軸１１に直交する方向に延在している。第１リブ２１ｃは、回転軸１１に平行な方向にも延在している。第１リブ２１ｃは、複数設けられている。第１リブ２１ｃの各々は、等間隔で配置されている。第１リブ２１ｃの数は、好ましくは４である。但し、第１リブ２１ｃの数はこれに限られるものではない。
【００２４】
第２の軸受部２２は、検知対象となる湯水の流れの方向において、水量検知部１よりも下流側に配置されている。第２の軸受部２２は、凹部２２ａを有している。回転軸１１の他端は、凹部２２ａに挿入されている。これにより、回転軸１１は、第２の軸受部２２に回転可能に支持されている。
【００２５】
整流部材３は、水量センサ内に流入する検知対象となる湯水を整流する部分である。整流部材３は、検知対象となる湯水の流れの方向において、第１の軸受部２１より上流側に配置されている。
【００２６】
整流部材３は、内枠部３１と、外枠部３２と、第２リブ３３とを有している。内枠部３１及び外枠部３２は、平面視において、環状形状を有している。外枠部３２の直径は、内枠部３１の直径より大きい。平面視において、外枠部３２は、内枠部３１の外側に間隔を置いて配置されている。整流部材３は、入水フィルタ部３４を有していてもよい。入水フィルタ部３４は、例えば捕集網である。入水フィルタ部３４は、検知対象となる湯水に混入した異物を捕集する。入水フィルタ部３４は、検知対象となる湯水の流れの方向における上流側の端に配置されている。
【００２７】
第２リブ３３は、内枠部３１と外枠部３２とを連結している。第２リブ３３は、内枠部３１の外周から外枠部３２の内周に向かって、回転軸１１に交差する方向に、延在している。好ましくは、第２リブ３３は、回転軸１１に直交する方向に、延在している。第２リブ３３は、回転軸１１に平行な方向にも延在している。第２リブ３３の内枠部３１の外周から外枠部３２の内周に向かう方向における幅は、検知対象となる湯水の流れの方向における上流側において、狭くなっていてもよい。
【００２８】
第２リブ３３は、複数設けられている。第２リブ３３の数は、第１リブ２１ｃの数に等しい。例えば、第１リブ２１ｃの数が４である場合、第２リブ３３の数も４である。第２リブ３３の各々は、平面視において、等間隔で配置されている。
【００２９】
図３に示すように、第２リブ３３の各々は、平面視において、隣接している第１リブ２１ｃの間に配置されている。すなわち、第２リブ３３は、平面視において、第１リブ２１ｃと重ならない位置に配置されている。
【００３０】
このことを別の観点からいえば、第１リブ２１ｃと第２リブ３３とがなす角度θは、平面視において、０°を超えている。ここで、角度θは、第１の軸受部２１と整流部材３とを第１の軸受部２１の側からみた場合の、第１リブ２１ｃと、当該第１リブ２１ｃよりも時計回りに回転した位置に存在する最近接の第２リブ３３とがなす角度である。
【００３１】
角度θは、隣接する第１リブ２１ｃの角度を２で除した角度の±２０パーセントの範囲の値であることが好ましく、隣接する第１リブ２１ｃの角度を２で除した角度の±１０パーセントの範囲の値であることがさらに好ましい。すなわち、角度θは、３６０°を第１リブ２１ｃの数で除した値の０．４倍以上０．６倍以下であることが好ましく、３６０°を第１リブ２１ｃの数で除した値の０．４５倍以上０．５５倍以下であることがさらに好ましい。例えば、第１リブ２１ｃの数が４である場合、角度θは、３６°以上５４°以下であることが好ましく、４０．５°以上４９．５°以下であることがさらに好ましい。
【００３２】
（実施形態に係る温水装置の構成）
以下に、実施形態に係る温水装置の構成を図４及び図５を参照して説明する。
【００３３】
図４に示すように、実施形態に係る温水装置は、流量調整部５と、水量センサ装置６とを有している。水量センサ装置６は、上記の実施形態に係る水量センサ装置である。実施形態に係る温水装置は、給湯流路７と、注湯流路８と、注湯電磁弁９とを有している。給湯流路７は、加熱された上水をカラン等に供給する流路である。注湯流路８は、加熱された上水を浴槽１０に供給する流路である。
【００３４】
流量調整部５は、例えば水量サーボである。図５に示すように、流量調整部５は、本体部５１と、弁体５２と、弁軸５３と、駆動部５４とを有している。本体部５１は、入水ポート５１ａと、第１の出水ポート５１ｂと、第２の出水ポート５１ｃと、弁座５１ｄとを有している。流量調整部５は、入水ポート５１ａから第１の出水ポート５１ｂに流れる湯水の流量及び入水ポート５１ａから第２の出水ポート５１ｃに流れる湯水の流量を調整する部分である。
【００３５】
入水ポート５１ａ、第１の出水ポート５１ｂ及び第２の出水ポート５１ｃは、本体部５１内において、相互に連通している。入水ポート５１ａには、配管７１の一方端が挿入される。第１の出水ポート５１ｂには、配管７２の一方端が挿入される。第２の出水ポート５１ｃには、水量センサ装置６が接続される。弁座５１ｄは、入水ポート５１ａの内周面から入水ポート５１ａの中央に向かう方向に延在している。
【００３６】
弁体５２は、本体部５１内において、弁座５１ｄに対向するように配置されている。弁体５２は、例えば平板形状を有している。弁体５２は、中央付近に、貫通孔が設けられている。弁体５２は、貫通孔に弁軸５３の一方端を挿入することにより、弁軸５３に取り付けられている。弁軸５３の他方端は、駆動部５４に取り付けられている。
【００３７】
駆動部５４は、弁軸５３を前進又は後退させる。駆動部５４には、例えばステッピングモータ等が用いられる。これにより、弁体５２と弁座５１ｄとの間隔が変化し、入水ポート５１ａから第１の出水ポート５１ｂ及び第２の出水ポート５１ｃに流れる湯水の流量が調整される。
【００３８】
配管７１の他方端は、熱交換器７４の一方端に接続されている。熱交換器７４の他方端には、配管７３の一方端が接続されている。配管７３の他方端は、上水道に接続されている。熱交換器７４の近傍には、バーナ７５が配置されている。熱交換器７４は、バーナ７５から発せられる燃焼ガスとの熱交換により、配管７３から供給される上水を加熱する。
【００３９】
配管７１を流れる加熱された上水は、流量調整部５及び配管７２を介して、配管７２の他方端に接続されたカラン等に供給される。すなわち、配管７１、配管７２及び配管７３は、給湯流路７を構成している。
【００４０】
注湯電磁弁９は、本体部９１と、弁体９２と、プランジャ９３と、電磁ソレノイド９４とを有している。本体部９１は、入水部９１ａと、出水部９１ｂと、弁座９１ｃとを有している。本体部９１の内部には、空間が形成されている。本体部９１の内部空間は、入水部９１ａ及び出水部９１ｂにおいて外部と連通している。弁座９１ｃは、本体部９１の内部に配置されている。
【００４１】
弁体９２は、本体部９１の内部において、弁座９１ｃと対向する位置に配置される。弁体９２は、プランジャ９３に取り付けられている。電磁ソレノイド９４は、プランジャ９３を前進又は後退させる。これにより、弁体９２と弁座９１ｃとの間の開閉が行われ、注湯電磁弁９の開閉が切り換えられる。
【００４２】
注湯電磁弁９の入水部９１ａには、水量センサ装置６に接続されている。水量センサ装置６は、注湯電磁弁９と一体に形成されていてもよい。より具体的には、注湯電磁弁９の入水部９１ａが、水量センサ装置６のハウジング４とされていてもよい。
【００４３】
注湯電磁弁９の出水部９１ｂには、配管８１の一方端が接続される。配管８１の他方端は、浴槽１０が接続される。注湯電磁弁９が開状態とされることにより、配管７１を流れる加熱された上水が、注湯電磁弁９及び配管８１を介して浴槽１０に供給される（なお、注湯電磁弁９は、加熱された上水が給湯流路７を介してカラン等に供給されている際、閉状態とされる）。すなわち、配管８１は、注湯流路８を構成している。水量センサ装置６は、注湯流路８を流れる湯水の水量を検知する。
【００４４】
（実施形態に係る水量センサ装置及び温水装置の効果）
以下に、実施形態に係る水量センサ装置の効果を、比較例と対比することにより説明する。
【００４５】
図６に示すように、比較例に係る水量センサ装置は、実施形態に係る水量センサ装置と同様に、水量検知部１と、軸受部２と、整流部材３と、ハウジング４とを有している。しかしながら、比較例に係る水量センサ装置は、実施形態に係る水量センサ装置と異なり、第２リブ３３が、第１リブ２１ｃと重なるように配置されている。すなわち、比較例に係る水量センサ装置においては、角度θが０°となっている。
【００４６】
比較例に係る水量センサ装置においては、上記のとおり、第１リブ２１ｃと第２リブ３３とが重なるように配置されているため、第２リブ３３の間を通過する湯水が第１リブ２１ｃに接触しない。そのため、比較例に係る水量センサ装置においては、湯水は、その流速が減衰されることなく、水量検知部１に達する。したがって、比較例に係る水量センサ装置においては、検知対象となる湯水の流量が少ない場合であっても、水車１２の回転が生じやすい。すなわち、比較例に係る水量センサ装置においては、検知対象となる湯水の流量が少ない場合に誤検知が生じるおそれが大きい。
【００４７】
他方、実施形態に係る水量センサ装置においては、上記のとおり、第１リブ２１ｃと第２リブ３３とが重ならないように配置されているため、第２リブ３３の間を通過する湯水が第１リブ２１ｃと接触する。その結果、水量検知部１に達した湯水の流速は減衰され、水車１２を回転させる力が弱まる。したがって、実施形態に係る水量センサ装置においては、検知対象となる湯水の流量が少ない場合の誤検知が生じがたい。
【００４８】
図７に示すように、実施形態に係る水量センサ装置において、角度θが３６０°を第１リブ２１ｃの数で除した値の０．４倍以上０．６倍以下である場合には、第２リブ３３の間を通過した湯水は、第１リブ２１ｃとの接触によって、羽根１２ｂが傾斜する方向に傾けられる（図７中の矢印参照）。すなわち、第２リブ３３の間を通過した湯水の進行方向が、第１リブ２１ｃとの接触によって、羽根１２ｂが傾斜する方向と平行に近くなる。
【００４９】
したがって、この場合には、水量検知部１に達した湯水が水車１２を回転させる力がさらに弱まり、検知対象となる湯水の流量が少ない場合の誤検知がさらに生じがたくなる。
【００５０】
以下に、実施形態に係る温水装置の効果について、比較例と対比することにより説明する。
【００５１】
図８に示すように、比較例に係る温水装置は、実施形態に係る温水装置と同様に、流量調整部５と、給湯流路７と、注湯流路８と、注湯電磁弁９とを有している。比較例に係る温水装置は、水量センサ装置６ａを有している。水量センサ装置６ａは、上記の比較例に係る水量センサ装置である。
【００５２】
注湯電磁弁９が閉状態とされ、流量調整部５の弁体５２と弁座５１ｄとの間が全開に近い状態とされ、かつ給湯流路７を介してカラン等から湯水が供給されている状態においては、入水ポート５１ａからの湯水は、主として第１の出水ポート５１ｂ側に流れる。この状態においても、若干量の湯水が、第２の出水ポート５１ｃ側にも流れる。
【００５３】
上記のとおり、水量センサ装置６ａにおいては、水量検知部１に到達した湯水の量が少量であっても、水車１２が回転しやすい。そのため、比較例に係る温水装置においては、第２の出水ポート５１ｃ側に流れる若干量の湯水の影響により、注湯電磁弁９が閉状態であるにもかかわらず、水量センサ装置６ａが注湯流路８に湯水が流れたと誤検知してしまうおそれがある。
【００５４】
特に、流量調整部５や水量センサ装置６ａが小型化した際には、水量センサ装置６ａと流量調整部５との距離が短くなり、水量センサ装置６ａに流入する湯水の勢いが相対的に強くなる。そのため、比較例に係る温水装置においては、流量調整部５又は水量センサ装置６ａが小型化した際に、上記のような誤検知がさらに生じやすくなる。
【００５５】
他方、上記のとおり、水量センサ装置６においては、水量検知部１に到達した湯水の量が少量である場合、水車１２が回転しがたい。そのため、実施形態に係る温水装置によると、第２の出水ポート５１ｃ側に若干量の湯水が流れたとしても、また流量調整部５又は水量センサ装置６の小型化により水量センサ装置６に流入する湯水の勢いが相対的に強くなったとしても、水量センサ装置６が、注湯流路８に湯水が流れたとの誤検知を起こしにくい。その結果、実施形態に係る温水装置によると、注湯電磁弁９の故障判断を正確に行うことができる。
【００５６】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００５７】
１  水量検知部、１１  回転軸、１２  水車、１２ａ  水車本体、１２ｂ  羽根、２  軸受部、２１  第１の軸受部、２１ａ  中央部、２１ａａ  凹部、２１ｂ  枠部、２１ｃ  第１リブ、２２  第２の軸受部、２２ａ  凹部、３  整流部材、３１  内枠部、３２  外枠部、３３  第２リブ、３４  入水フィルタ部、４  ハウジング、５  流量調整部、５１  本体部、５１ａ  入水ポート、５１ｂ  第１の出水ポート、５１ｃ  第２の出水ポート、５１ｄ  弁座、５２  弁体、５３  弁軸、５４  駆動部、６，６ａ  水量センサ装置、７  給湯流路、７１，７２，７３  配管、７４  熱交換器、７５  バーナ、８  注湯流路、８１  配管、９  注湯電磁弁、９１  本体部、９１ａ  入水部、９１ｂ  出水部、９１ｃ  弁座、９２  弁体、９３  プランジャ、９４  電磁ソレノイド、１０  浴槽。
【図１】
2018072009.tif 000003
【図２】
2018072009.tif 000004
【図３】
2018072009.tif 000005
【図４】
2018072009.tif 000006
【図５】
2018072009.tif 000007
【図６】
2018072009.tif 000008
【図７】
2018072009.tif 000009
【図８】
2018072009.tif 000010